(57)【要約】【課題】本体に対する表示画面の設置角度を工夫して卓上設置型または壁掛け型といずれに用いても視認者が最適な角度で見ることの出来るＬＥＤ電光表示器を提供することを目的とする。【解決手段】切替スイッチ４を用いて文字情報、画像、映像などの表示内容を上下に反転させるようにした表示器であって、表示画面を表示する表示面１及びその背面２が上向きに傾くように本体の側面３を台形に形成し、該表示器を壁面に取り付けるときには、本体を天地逆にしてその背面２を壁面に取り付け、表示面１が下向きになるようにした。また前記表示面１及び背面２の傾斜角αを約１５度〜３０度としたことを特徴としている。【選択図】図１
2007041125.tif 000002
【特許請求の範囲】
【請求項１】
切替スイッチ（４）を用いて文字情報、画像、映像などの表示内容を上下に反転させるようにした表示器であって、表示画面を表示する表示面（１）及びその背面（２）が上向きに傾くように本体の側面（３）を台形に形成し、該表示器を壁面に取り付けるときには、本体を天地逆にしてその背面（２）を壁面に取り付け、表示面（１）が下向きになるようにしたＬＥＤ電光表示器。
【請求項２】
前記表示面（１）及び背面（２）の傾斜角αを約１５度〜３０度とした請求項１記載のＬＥＤ電光表示器。
【発明の詳細な説明】
【技術分野】
【０００１】
本発明は、１台で卓上又は壁掛けのどちらでも使用出来る文字情報、画像などを表示するＬＥＤ電光表示器に関するものである。
【背景技術】
【０００２】
近年、高輝度ＬＥＤが発明され、ＬＥＤは他のデバイスと比べて、高い視認性が得られる特長がある事から、これを応用して文字や映像を表示する電光表示器としてＬＥＤ表示器が開発され、各種情報表示、案内板、電光看板などに利用されている。ＬＥＤ電光表示器の主な形態としては、屋外看板等に用いられる平板状で柱等に固定して使用するもの、屋内で各種情報表示板として壁に固定するもの、カウンター等の卓上に置いて使用するものがある。またかかるＬＥＤ表示器は、一般的に箱型または額縁状の枠体内に表示画面が垂直となるように設定されている。
【０００３】
ＬＥＤ表示器に用いられる高輝度ＬＥＤランプは、±１５度の指向性を有するため強い光度が得られる範囲が狭く、正面から見ないと視認性を発揮出来ないという問題があった。従って視認者の視線に合わせて設置する必要があり、好ましくは卓上に設置する場合は、表示画面を上方に傾けて設け、壁に掛ける場合は、表示画面を下側に傾け、見上げても画面が正対させることが望ましかった。
【０００４】
そして卓上に置いても、上方の壁に掛けても１台の表示器で兼用が出来ることが望ましく、かかる観点で取付け位置に応じて液晶表示画面をスイッチで切り替えて天地を反転させるものが特許文献１に開示されている。然しながらこのものは表示画面が枠体に対し垂直であるため、見上げたり、見下ろしたりすると液晶画面がやはり見辛いという問題があった。
【特許文献１】特開平１―２４４４９４号公報
【発明の開示】
【発明が解決しようとする課題】
【０００５】
本発明は、かかる従来の不具合の解消を図るために為されたもので、本体に対する表示画面の設置角度を工夫して卓上設置型または壁掛け型といずれに用いても視認者が最適な角度で見ることの出来るＬＥＤ電光表示器を提供することを目的とする。
【課題を解決するための手段】
【０００６】
本発明のＬＥＤ電光表示器は、請求項１記載のように、切替スイッチ４を用いて文字情報、画像、映像などの表示内容を上下に反転させるようにした表示器であって、表示画面を表示する表示面１及びその背面２が上向きに傾くように本体の側面３を台形に形成し、該表示器を壁面に取り付けるときには、本体を天地逆にしてその背面２を壁面に取り付け、表示面１が下向きになるようにした。また請求項２記載のように、前記表示面１及び背面２の傾斜角αを約１５度〜３０度としたことを特徴としている。
【発明の効果】
【０００７】
上記のように構成したから、受付カウンターにこの表示器を置くと表示画面が上方に傾いているので視認者の視線に正対し、ＬＥＤランプの指向性と一致するので視認性が向上する。また上方の壁面にこのＬＥＤ表示器を取り付ける場合は、上下を逆にして壁面に取り付けると本体の背面側２が傾斜しているので表示面１が下を向き同様に視認者に正対することになる。この際、切替スイッチ４を用いて表示画面の表示内容を上下反転するようにすれば表示画面に現れる文字情報または画像を下方から見上げてもぶれることなく正しく視認出来る。従って１台の本表示器で卓上用、壁掛け用と両方が兼用できる。
【０００８】
また壁面の上方に天地を逆にして取り付けることを想定して箱体の背面側を傾斜させてあるので卓上用と壁面用と２種の箱体を作る必要がなく共用化が図れる。従って箱体を作り分ける必要が無く、製造及び在庫の一元的な管理が出来る。また部材の共通化を図れるため、コスト上も有利になる。
【発明を実施するための最良の形態】
【０００９】
切替スイッチを用いて文字情報、画像、映像などの表示内容を上下に反転させるようにした表示器であって、表示画面を表示する表示面及びその背面が上向きに傾くようにその本体の側面を台形に形成し、該表示器を壁面に取り付けるときには本体を天地逆にし、その背面を壁面に取り付けて表示面が下向きになるようにした。
【実施例１】
【００１０】
本発明のＬＥＤ表示器の好適なひとつの実施例を以下図面に基づき説明する。図１は本発明のＬＥＤ表示器であって、略直方体で側面３が台形形状の本体に文字情報または画像、映像等を表示する表示面１をやや上向くように傾斜させて設けてある。そして壁面への取付け面である背面側２も同様に上向くように傾けてある。すなわちこの表示面１の傾斜角αは、本体を卓上に設置したときに約１５度〜３０度上向きに傾くようにしたものであり、背面側２の傾斜角も同様の角度にしてある。すなわち台形の傾斜角αを約１５度〜３０度としたものである。尚、表示手段は、ＬＥＤに限らず液晶、プラズマなど表示器として用いられるものであれば良い。
【００１１】
従って受付カウンターにこの表示器を置くと図３のように表示画面が上方に傾いているので視認者の視線に正対することになり見やすい。また上方の壁面にこのＬＥＤ表示器を取り付ける場合は、図２のように上下を逆にして壁面に取り付ける。この際、本体の背面側２、すなわち壁面への取付け面が傾斜しているので表示面１が下を向き視認者に正対することになる。そして切替スイッチ４を用いて表示画面の表示内容を上下反転するようにすれば表示画面に現れる文字情報または画像を正しく視認出来る。
【産業上の利用可能性】
【００１２】
受付カウンター、レストラン等の案内表示、掲示板、車両・船舶等の情報表示、案内、広告等。工場内の連絡、機器状態表示、時刻表表示、その他各種のＬＥＤ電光表示器として利用できる。
【図面の簡単な説明】
【００１３】
【図１】本発明のＬＥＤ電光表示器の斜視図である。
【図２】本体及び表示内容を上下逆向きとした本器の斜視図である。
【図３】本器を卓上に置いた使用状態図である。
【図４】本器を壁面に取り付けた使用状態図である。
【符号の説明】
【００１４】
１  表示面
２  背面
３  側面
４  切替スイッチ
【図１】
2007041125.tif 000003
【図２】
2007041125.tif 000004
【図３】
2007041125.tif 000005
【図４】
2007041125.tif 000006